(57)【特許請求の範囲】
【請求項１】
内底面に共通接点及び固定接点が植設された略箱形のケースと、このケース上面を覆うカバーと、上記ケース内に上下動可能に収納され、操作部が上記カバーから上方へ突出する操作体からなり、可動接点を上記共通接点上に揺動可能に載置すると共に、略Ｕ字状のばねの一端を上記カバー下面に係止し、他端を上記可動接点上面に、中間部を上記操作体下面に弾接させたプッシュスイッチ。
【発明の詳細な説明】
【技術分野】
【０００１】
本発明は、主として自動車に装着され、各種電子機器の操作に用いられるプッシュスイッチに関するものである。
【背景技術】
【０００２】
近年、自動車の車室内に装着した様々なスイッチによって、ルームランプやカーオーディオ等の各種電子機器を操作することが広く行われており、これらに用いられるプッシュスイッチにおいても、小型薄型で確実な操作の可能なものが求められている。
【０００３】
このような従来のプッシュスイッチについて図４〜図６を用いて説明する。
【０００４】
図４は従来のプッシュスイッチの断面図、図５は同分解斜視図であり、同図において、１は上面開口で略箱形の絶縁樹脂製のケース、２は導電金属製の共通接点、３と４は同じく導電金属製の固定接点で、ケース１左内側壁の中間部に共通接点２が、この上下に固定接点３と４がインサート成形等によって各々植設固定されている。
【０００５】
そして、５は絶縁樹脂製の操作体、６は同じく絶縁樹脂製のカバーで、カバー６がケース１上面の開口部を覆うと共に、操作体５がケース１内に上下動可能に収納され、操作体５上端の操作部５Ａが、カバー６の開口孔から上方へ突出している。
【０００６】
また、７は導電金属薄板製の可動接点で、やや撓んだ状態で中間部が共通接点２に、上端が操作体５左側面の押圧部５Ｂに、下端が固定接点４に各々弾接し、共通接点２と固定接点４が可動接点７を介して電気的に接続された状態となっている。
【０００７】
さらに、８は略コの字状で金属線製のストッパで、上端が操作体５右側面に形成された略ハート状のカム溝５Ｃに係合すると共に、下端がケース１内底面に係止されている。
【０００８】
また、９はコイル状に巻回された金属線製のばねで、操作体５下端とケース１内底面やストッパ８下端の間にやや撓んだ状態で装着され、このばね９によって操作体５が上方へ付勢されて、プッシュスイッチが構成されている。
【０００９】
そして、このように構成されたプッシュスイッチが、操作部５Ａに押釦等が取付けられて車室内に装着されると共に、上下面に複数の配線パターンが形成された配線基板（図示せず）上に載置され、ケース１底面から突出した共通接点２や固定接点３、４が、所定の配線パターンに半田付けされて、車両や機器の電子回路（図示せず）に電気的に接続される。
【００１０】
以上の構成において、操作部５Ａを押圧操作すると、図６の断面図に示すように、操作体５がばね９を撓めながらケース１内を下方へ移動し、押圧部５Ｂが可動接点７上端を押圧して、可動接点７が共通接点２を支点として左右方向へ揺動し、下端が固定接点４から離れて上端が固定接点３に弾接し、共通接点２と固定接点３が可動接点７を介して電気的に接続された状態となる。
【００１１】
また、同時に、ストッパ８上端が略ハート状のカム溝５Ｃ内を弾接摺動し、操作体５が所定距離だけ下方へ移動すると、ストッパ８上端がカム溝５Ｃに係止されて、操作体５がロックされた状態になると共に、電子回路が共通接点２と固定接点３や４の電気的接離を検出して、例えばルームランプが点灯する。
【００１２】
さらに、再度、操作部５Ａを押圧操作して、操作体５を所定距離だけ下方へ移動させると、ストッパ８上端がカム溝５Ｃ内を弾接摺動してロックが解除され、操作体５がばね９によって上方へ付勢されると共に、可動接点７上端が固定接点３から離れて、下端が固定接点４に弾接した元の状態に戻り、これを電子回路が検出して、例えばルームランプが消灯した状態となる。
【００１３】
つまり、押圧操作によって操作体５を上下動させ、これと平行な上下方向に配置された可動接点７を、共通接点２を支点として左右方向へ揺動させると共に、可動接点７を撓ませ、上下端を固定接点３か４のいずれかに弾接させて、共通接点２と固定接点３や４との電気的接離を、可動接点７を介して行うように構成されているものであった。
【００１４】
なお、この出願の発明に関連する先行技術文献情報としては、例えば、特許文献１が知られている。
【先行技術文献】
【特許文献】
【００１５】
【特許文献１】特開２００７−１８７９０号公報
【発明の概要】
【発明が解決しようとする課題】
【００１６】
しかしながら、上記従来のプッシュスイッチにおいては、可動接点７が操作体５と平行な上下方向に配置されているため、全体の高さが大きくなってしまうと共に、可動接点７を弾性変形させて、共通接点２や固定接点３、４との電気的接離を行っているため、可動接点７を薄板状に形成する必要があり、小さな電流の切換えにしか使用できないという課題があった。
【００１７】
本発明は、このような従来の課題を解決するものであり、低背化が図れ、確実な操作が可能なプッシュスイッチを提供することを目的とする。
【課題を解決するための手段】
【００１８】
上記目的を達成するために本発明は、可動接点をケース内底面の共通接点上に揺動可能に載置すると共に、略Ｕ字状のばねの一端をカバー下面に係止し、他端を可動接点上面に、中間部を操作体下面に弾接させてプッシュスイッチを構成したものであり、可動接点が操作体の上下動方向とは直交方向に配置されているため、全体の低背化が図れると共に、可動接点の厚さを大きなものに形成できるため、数アンペア前後の比較的大きな電流の接離を確実に行うことが可能なプッシュスイッチを得ることができるという作用を有するものである。
【発明の効果】
【００１９】
以上のように本発明によれば、低背化が図れ、確実な操作が可能なプッシュスイッチを実現することができるという有利な効果が得られる。
【図面の簡単な説明】
【００２０】
【図１】本発明の一実施の形態によるプッシュスイッチの断面図
【図２】同分解斜視図
【図３】同押圧操作時の断面図
【図４】従来のプッシュスイッチの断面図
【図５】同分解斜視図
【図６】同押圧操作時の断面図
【発明を実施するための形態】
【００２１】
以下、本発明の一実施の形態について、図１〜図３を用いて説明する。
【００２２】
（実施の形態）
図１は本発明の一実施の形態によるプッシュスイッチの断面図、図２は同分解斜視図であり、同図において、１１は上面開口で略箱形の液晶ポリマーやポリフェニレンサルファイド等の絶縁樹脂製のケース、１２は銅合金等の導電金属製の共通接点、１３と１４は同じく導電金属製の固定接点で、ケース１１内底面の中間部に共通接点１２が、この左右に固定接点１３と１４がインサート成形等によって各々植設固定されている。
【００２３】
そして、１５はポリブチレンテレフタレートやポリオキシメチレン等の絶縁樹脂製の操作体、１６は同じく絶縁樹脂製のカバーで、カバー１６がケース１１上面の開口部を覆うと共に、操作体１５がケース１１内に上下動可能に収納され、操作体１５上端の操作部１５Ａが、カバー１６の開口孔から上方へ突出している。
【００２４】
また、１７は銅合金等の導電金属板製の可動接点、１８は略コの字状で鋼線等の金属線製のストッパで、可動接点１７の中間部が共通接点１２上に揺動可能に載置されると共に、ストッパ１８の上端が操作体１５右側面に形成された略ハート状のカム溝１５Ｂに係合し、下端がケース１１右内側壁に係止されている。
【００２５】
さらに、１９は略Ｕ字状で銅合金や鋼等の金属薄板製のばねで、やや撓んだ状態で上端がカバー１６下面に係止され、中間部が操作体１５下面に、下端が可動接点１７上面の左方に各々弾接し、共通接点１２と固定接点１３が可動接点１７を介して電気的に接続された状態になると共に、このばね１９によって操作体１５が上方へ付勢されて、プッシュスイッチが構成されている。
【００２６】
そして、このように構成されたプッシュスイッチが、操作部１５Ａに押釦等が取付けられて車室内に装着されると共に、上下面に複数の配線パターンが形成された配線基板（図示せず）上に載置され、ケース１１外側壁から突出した共通接点１２や固定接点１３、１４が、所定の配線パターンに半田付けされて、車両や機器の電子回路（図示せず）に電気的に接続される。
【００２７】
以上の構成において、操作部１５Ａを押圧操作すると、図３の断面図に示すように、操作体１５がばね１９を撓めながらケース１１内を下方へ移動すると共に、ばね１９下端が可動接点１７上面を右方に弾接摺動して、可動接点１７が共通接点１２を支点として上下方向へ揺動し、左端が固定接点１３から離れて右端が固定接点１４に弾接し、共通接点１２と固定接点１４が可動接点１７を介して電気的に接続された状態となる。
【００２８】
また、同時に、ストッパ１８上端が略ハート状のカム溝１５Ｂ内を弾接摺動し、操作体１５が所定距離だけ下方へ移動すると、ストッパ１８上端がカム溝１５Ｂに係止されて、操作体１５がロックされた状態になると共に、電子回路が共通接点１２と固定接点１３や１４の電気的接離を検出して、例えばルームランプが点灯する。
【００２９】
さらに、再度、操作部１５Ａを押圧操作して、操作体１５を所定距離だけ下方へ移動させると、ストッパ１８上端がカム溝１５Ｂ内を弾接摺動してロックが解除され、操作体１５がばね１９によって上方へ付勢されると共に、可動接点１７右端が固定接点１４から離れて、左端が固定接点１３に弾接した元の状態に戻り、これを電子回路が検出して、例えばルームランプが消灯した状態となる。
【００３０】
つまり、押圧操作によって操作体１５が上下動すると共に、この操作体１５下面がばね１９の中間部を押圧し、弾性変形しながらばね１９下端が可動接点１７上面を左右に弾接摺動して、可動接点１７が共通接点１２を支点として上下方向へ揺動することで、可動接点１７の左右端が固定接点１３か１４のいずれかに弾接して、共通接点１２と固定接点１３や１４との電気的接離が、可動接点１７を介して行われるように構成されている。
【００３１】
そして、本発明においては、共通接点１２や固定接点１３、１４が、ケース１１の右や左の内側壁ではなく内底面に形成されると共に、中間部が共通接点１２上に揺動可能に載置された可動接点１７が、操作体１５の上下動方向とは直交方向に配置されているため、ケース１１の高さ寸法を小さく形成でき、全体の低背化が図れるようになっている。
【００３２】
また、下端が上面に弾接した薄板状のばね１９の弾性変形によって、可動接点１７が揺動して、左右端と固定接点１３、１４との接離が行われるようになっているため、可動接点１７を薄板状に形成する必要はなく、厚さをある程度大きなものに形成できるため、数アンペア前後の比較的大きな電流の接離も確実に行うことができる。
【００３３】
さらに、共通接点１２や固定接点１３、１４を、ケース１１の内底面にインサート成形等によって植設固定する際にも、これらの接点の凹凸部や折曲部は全て金型の開閉方向である上下方向に形成されているため、簡易な金型構成で、容易にインサート成形加工を行うことが可能なようになっている。
【００３４】
なお、以上の説明では、ケース１１内底面の中間部に共通接点１２を、この左右に固定接点１３と１４を設け、可動接点１７の左右端を固定接点１３や１４に接離させる構成について説明したが、固定接点１３と１４のいずれか一方のみを設け、可動接点１７の一端をこれに接離させる構成としても、本発明の実施は可能である。
【００３５】
このように本実施の形態によれば、可動接点１７をケース１１内底面の共通接点１２上に揺動可能に載置すると共に、略Ｕ字状のばね１９の一端をカバー１６下面に係止し、他端を可動接点１７上面に、中間部を操作体１５下面に弾接させることによって、可動接点１７が操作体１５の上下動方向とは直交方向に配置されているため、全体の低背化が図れると共に、可動接点１７の厚さを大きなものに形成できるため、数アンペア前後の比較的大きな電流の接離を確実に行うことが可能なプッシュスイッチを得ることができるものである。
【産業上の利用可能性】
【００３６】
本発明によるプッシュスイッチは、低背化が図れ、確実な操作が可能なものを得ることができるという有利な効果を有し、主に各種電子機器の操作用として有用である。
【符号の説明】
【００３７】
１１  ケース
１２  共通接点
１３、１４  固定接点
１５  操作体
１５Ａ  操作部
１５Ｂ  カム溝
１６  カバー
１７  可動接点
１８  ストッパ
１９  ばね
【図１】
0005891355.tif 000002
【図２】
0005891355.tif 000003
【図３】
0005891355.tif 000004
【図４】
0005891355.tif 000005
【図５】
0005891355.tif 000006
【図６】
0005891355.tif 000007